(57)【要約】【課題】  本発明は、上側接触子を変形あるいは変位させることなく２点接触を実現することができる２点接触式ソケットを提供することを課題とする。【解決手段】  第１の接触子５は、電子部品１の端子１ｂの第１の側に接触する。第２の接触子６は、電子部品１の端子１ｂの第１の側とは反対の第２の側に接触する。第２の接触子６は線状の導電体により形成される。第１の接触子５は、第２の接触子６が電子部品１の端子１ｂに接触した際に、第２の接触子６に接触する突出部５ｃを有する。【選択図】  図２
2007059154.tif 000002
【特許請求の範囲】
【請求項１】
電子部品の端子に電気的接触をとる２点接触式ソケットであって、
該電子部品の端子の第１の側に接触する第１の接触子と、
前記電子部品の端子の該第１の側とは反対の第２の側に接触する第２の接触子と
を有し、
該第２の接触子は線状の導電体により形成されており、
前記第１の接触子は、前記第２の接触子が前記電子部品の前記端子に接触した際に、前記第２の接触子に接触する部分を有することを特徴とする２点接触式ソケット。
【請求項２】
請求項１記載の２点接触式ソケットであって、
前記第１の接触子は、前記電子部品が収容されるソケット本体に設けられ、
前記第２の接触子は、該ソケット本体に回動可能に支持された蓋部に設けられたことを特徴とする２点接触式ソケット。
【請求項３】
請求項２記載の２点接触式ソケットであって、
前記第２の接触子は前記蓋部に設けられた絶縁体の表面に印刷形成された線状の導電体であることを特徴とする２点式接触ソケット。
【請求項４】
請求項１乃至３のうちいずれか一項記載の２点接触式ソケットであって、
前記第２の端子に接触する前記第１の端子の前記部分は、前記蓋部が閉じられた際に前記第２の接触子に向けて突出した弾性変形可能な突起部であることを特徴とする２点接触式ソケット。
【請求項５】
請求項１乃至４のうちいずれか一項記載の２点接触式ソケットであって、
前記第２の接触子が形成された前記絶縁体は、前記蓋部に着脱可能に取り付けられていることを特徴とする２点接触式ソケット。
【発明の詳細な説明】
【技術分野】
【０００１】
本発明は電子部品用ソケットに係わり、特にＬＳＩのような電子部品の端子の上下面に同時に接触する接触子を有する２点接触式ソケットに関する。
【背景技術】
【０００２】
近年、携帯電話、デジタルカメラ等の携帯型電子機器には多くのフラットパッケージ型ＬＳＩが使用されている。フラットパッケージ型ＬＳＩの中で、特にファインピッチ化されたフラットパッケージ型ＬＳＩは、その電気的接触面積が小さいため、電気的試験を行う際に接触不良が発生しやすい。このため、フラットパッケージ型ＬＳＩの電気的試験を行うために安定した試験を行うことが出来る２点接触式ソケットが用いられている（例えば、特許文献１〜４参照。）。
【０００３】
特に、ＬＳＩ最終試験及び特性評価試験に使用されるＬＳＩ用ソケット（試料台）は、ＬＳＩの小型化、ファインピッチ化（多端子化）により、ＬＳＩとソケットとの電気的接触部分が小さくなってきている。ところが、その弊害として、接触不良に起因した試験不良や特性評価のやり直し等の不具合が生じている。接触不良の原因としては、ファインピッチ化されて接触部分が小さくなったことで、接触面に付着したゴミやチリ、接触面の汚れ、端子の反りなどの影響を受け易くなったことである。そのために、ＬＳＩの端子を上下両方向から挟んで接触する２点接触構造のコンタクトが使用されている。
【特許文献１】特開２００１−３５７９５１号公報  (第５〜７図)
【特許文献２】特開２００４−１０３４３２号公報  (第１〜６図)
【特許文献３】特開２００３−１５７９３９号公報  （第２図，第８図，第９図）
【特許文献４】特開２００３−３０３６５３号公報  （第１〜６図）
【発明の開示】
【発明が解決しようとする課題】
【０００４】
現在、フラットパッケージ型のＬＳＩの信号端子数は、１００〜２００本に増大している。このようにファインピッチ化が進展すると、益々通電に対して接触不良を生じる可能性も大きくなることは明らかである。現状の技術では、ＬＳＩの端子の上側に接触する第２の接触子は、金型成形により形成された導体片（リード単片）よりなることが多いが、ＬＳＩ端子間のピッチが微細ピッチ化が進んでおり、これに応じてＬＳＩ端子の上側に第２の接触子を微細な等間隔（ピッチ）で並べる事が困難になってきている。また、たとえ微細なピッチで等間隔に並べたとしても、第２の接触子が弾性変形等の機械的作用によってピッチずれが生じ、隣接した接触子同士がショートするという問題がある。
【０００５】
また、現状の２点接接触式ソケットにおいて、ＬＳＩ端子に上側から接触する上側接触子は接触時に変形・変位するため、上側接触子には経時劣化が生じる。このため、経時劣化した場合に交換をする等のメンテナンスが必要となり、上側接触子の全てを一括に交換可能な構造の２点接触式ソケットの開発が望まれている。
【０００６】
更に、現状の２点接触式ソケットの上側接触子は、軌跡を描いて弾性変形するようなバネ性を利用しているため、上側接触子の変形を可能とするための空間を考慮したソケット構造となり、ソケット自体が非常に大きいという問題がある。そこで、現状のものより小型で且つ内部の接触子の動作が簡潔な２点接触式ソケットの開発が望まれている。
【０００７】
本発明は上述の問題に鑑みなされたものであり、上側接触子を変形あるいは変位させることなく２点接触を実現することができる２点接触式ソケットを提供することを目的とする。
【課題を解決するための手段】
【０００８】
上述の目的を達成するために、本発明によれば、電子部品の端子に電気的接触をとる２点接触式ソケットであって、該電子部品の端子の第１の側に接触する第１の接触子と、前記電子部品の端子の該第１の側とは反対の第２の側に接触する第２の接触子とを有し、該第２の接触子は線状の導電体により形成されており、前記第１の接触子は、前記第２の接触子が前記電子部品の前記端子に接触した際に、前記第２の接触子に接触する部分を有することを特徴とする２点接触式ソケットが提供される。
【０００９】
上述の２点接触式ソケットにおいて、前記第１の接触子は、前記電子部品が収容されるソケット本体に設けられ、前記第２の接触子は、該ソケット本体に回動可能に支持された蓋部に設けられることが好ましい。また、前記第２の接触子は前記蓋部に設けられた絶縁体の表面に印刷形成された線状の導電体であることが好ましい。さらに、前記第２の端子に接触する前記第１の端子の前記部分は、前記蓋部が閉じられた際に前記第２の接触子に向けて突出した弾性変形可能な突起部であることとしてもよい。さらに、前記第２の接触子が形成された前記絶縁体は、前記蓋部に着脱可能に取り付けられていることとしてもよい。
【発明の効果】
【００１０】
本発明によれば、第２の接触子は単なる線状の導電体であり、電子部品の端子と接触する際に変形したり変位したりする部分がなく、安定した接触を得ることができる。また、第２の接触子は変形や変位する部分がないことにより、隣接する第２の接触子の間隔が変化してしまうことがない。このため、各第２の接触子と電子部品の対応する端子との接触位置を精度よく維持することができる。
【発明を実施するための最良の形態】
【００１１】
次に本発明の一実施例による２点接触式ソケットについて図１を参照しながら説明する。図１は本発明の一実施例による２点接触式ソケットの斜視図である。
【００１２】
図１に示す２点接触式ソケットは、ＬＳＩやＩＣのようにパッケージ本体から端子が延出した電子部品の電気的試験を行う際に、当該電子部品の端子に電気的接触をとるためのソケットである。本実施例では、電子部品として図１に示すようなフラットパッケージ型ＬＳＩ（以下、単にＬＳＩ１と称する）を例にとって説明する。
【００１３】
図１に示す２点接触式ソケットは、ソケット本体２と蓋部３とより構成される。ソケット本体は試料台とも称され、ＬＳＩ１のパッケージ本体１ａを収容する凹部４が中央に形成されている。凹部４の周囲には、収容するＬＳＩ１の端子１ｂの各々に対応した位置に第１の接触子（下側接触子）５が設けられている。
【００１４】
蓋部３はソケット本体２の一辺に、ヒンジ機構等により回動可能に支持されている。図１は、蓋部３が持ち上げて開かれてソケット本体の凹部４が露出した状態を示している。蓋部３には、第２の接触子として導体ストライプ６が形成されている。導体ストライプ６は、蓋部３を閉めてソケット本体２に重ね合わせた際に、ソケット本体２の第１の接触子５の真上に位置するように設けられている。
【００１５】
図２は図１に示した２点接触式ソケットの一部を示す断面図である。図２では蓋部３を閉じた状態が示されている。
【００１６】
蓋部３を開いてＬＳＩ１のパッケージ本体１ａをソケット本体３の凹部４に収容すると、ＬＳＩ１の端子１ｂは凹部の周囲に設けられた第１の接触子５上に搭置された状態となる。第１の接触子５は、ＬＳＩ１の端子１ｂと同じ幅を有し、同じピッチで配列されている。したがって、ＬＳＩ１をソケット本体３に収容した状態で、第１の接触子５の各々はＬＳＩ１の対応する端子１１ａに接触した状態となる。
【００１７】
第１の接触子５は、弾性を有する金属片（例えば、ベリリウム銅）を加工して形成されている。第１の接触子５は、ＬＳＩ１の端子１ｂと接触する接触部５ａと、ソケット本体２から外部に突出して接続端子として機能する端子部５ｂと、ＬＳＩ１の端子１ｂが延在しない部分で上方に突出した突出部５ｃとを有する。後述するように、突出部５ｃは蓋部３に設けられた導体ストライプ６に接触するように構成されている。
【００１８】
蓋部３には、ＬＳＩ１の端子の配列領域に対応して枠状の絶縁体７が固定され、絶縁体７の上に上述の導体ストライプ６が形成されている。導体ストライプ６は、第１の接触子５と同じ配列であり、したがって、ＬＳＩ１の端子１ｂとも同じ配列である。
【００１９】
絶縁体７は、例えばガラスエポキシ樹脂のような回路基板の絶縁体として用いられるような材料で形成される。第２の接触子である導体ストライプ６は線状の導電体であり、例えば、銅合金を印刷法により線状のパターンに形成することができる。導体ストライプ６の材質及び形成方法はこれに限られず、線状の導電体を形成することができるのであれば様々な材質及び形成方法を採用することができる。
【００２０】
絶縁体７には貫通孔８が設けられており、これを利用してボルト等の固定手段（図示ぜず）を用いて絶縁体７を蓋部３に対して着脱可能に取り付ける。したがって、絶縁体７を蓋部３から取り外すことにより、全ての導体ストライプ６を一括して蓋部３から取り外すことができる。
【００２１】
図３は図１におけるＩＩＩ−ＩＩＩに沿った断面図であり、参考のためにＬＳＩ１の端子１ｂが一緒に示されている。また、図４は図１におけるＩＶ−ＩＶ線に沿った断面図であり、参考のためにＬＳＩ１の端子１ｂが一緒に示されている。図３及び図４において、導体ストライプ６は図示の便宜上誇張して描かれており、図１に示す寸法及び数とは一致していない。
【００２２】
第２の接触子である導体ストライプ６は、図３に示すように、ＬＳＩ１の端子１ｂとほぼ同じ幅を有し、且つＬＳＩ１の端子１ｂと同じ間隔（ピッチ）で配列されている。また、導体ストライプ６は、図４に示すように、ＬＳＩ１の端子１ｂに沿って延在するように配列されている。ただし、導体ストライプ６はＬＳＩ１の端子１ｂより長く形成されており、蓋部３が閉じられた際に、図２に示すように、導体ストライプ６は第１の接触子５の突出部５ｃと接触するように構成されている。
【００２３】
以上のような構成において、図２に示すようにＬＳＩ１をソケット本体３に収容して蓋部３が閉じられると、ＬＳＩ１の各端子１ｂは第１の接触子５と第２の接触子である導体ストライプ６との間に挟まれた状態となる。加えて、第１の接触子５の突出部５ｃが導体ストライプ６に接触し、導体ストライプ６は第１の接触子と電気的に接続される。第１の接触子５の突出部５ｃは弾性変形可能な形状に形成されており、導体ストライプ６が接触して押圧された際に弾性変形することで、導体ストライプ６との確実な電気的導通が得られるようになっている。
【００２４】
以上のような構成の本実施例による２点接触式ソケットによれば、第２の接触子である導体ストライプ６は単なる線状の導電体であり、ＬＳＩ１の端子１ｂと接触する際に変形したり変位したりする部分がなく、安定した接触を得ることができる。また、導体ストライプ６は変形や変位する部分がないことにより、隣接する導体ストライプ６の間隔、すなわちピッチが狂うことがない。したがって、各導体ストライプ６とＬＳＩ１の対応する端子１ｂとの接触位置が精度よく維持される。
【００２５】
また、第２の接触子である導体ストライプ６が蓋部３に組み込まれており、従来の２点接触式ソケットに比べて小型にすることができ、１点接触式ソケットと同じ程度の大きさで２点式接触ソケットを構成することができる。
【００２６】
また、導体ストライプ６は絶縁体７上に形成された線状の導電体であり、導体ストライプの配列位置関係は狂うことがない。さらに、絶縁体７は蓋部３に着脱可能に取り付けられているので、絶縁体７を取り外して交換することで、全ての導体ストライプ６を一括して交換することがきる。また、第１の接触子５に設けられた突出部５ｃは僅かに変形するだけで、導体ストライプ６との電気的接触を確実にとることができ、２点式接触を確実に実現することができる。
【図面の簡単な説明】
【００２７】
【図１】本発明の一実施例による２点接触式ソケットの斜視図である。
【図２】図１の２点接触式ソケットの一部を示す断面図である。
【図３】図１のＩＩＩ−ＩＩＩ線に沿った断面図である。
【図４】図１のＩＶ−ＩＶ線に沿った断面図である。
【符号の説明】
【００２８】
１  ＬＳＩ
１ａ  パッケージ本体
１ｂ  端子
２  ソケット本体
３  蓋部
４  凹部
５  第１の接触子
５ａ  接触部
５ｂ  端子部
５ｃ  突出部
６  導体ストライプ（第２の接触子）
７  絶縁体
８  貫通孔
【図１】
2007059154.tif 000003
【図２】
2007059154.tif 000004
【図３】
2007059154.tif 000005
【図４】
2007059154.tif 000006